(57)【要約】本発明は、医療診断レポートシステム及び方法に関するものである。該方法は、診断的発見を識別するステップと、該識別された発見をレポート言語に翻訳するステップと、該翻訳された発見を言語がコード付けされたデータベースに挿入するステップと、医師により指示される反復処理において該言語コード付けされたデータベースを用いて、観察される画像に応答して診断的発見を識別するステップとを含んでいる。該方法は、データ記憶装置と、実行メモリ装置と、レポート出力装置とプロセッサとを備えるシステムにより実施することができる。
2004530985.tif 000002
【特許請求の範囲】
【請求項１】
コンピュータに基づくシステムにおいて自動化されたレポートを提供する方法において、
特定のタイプのレポートにおいて通常繰り返されるような診断的発見を識別するステップと、
前記識別された発見をレポート言語に翻訳するステップと、
前記翻訳された発見を言語がコード付けされたデータベースに挿入するステップと、
前記言語コード付けされたデータベースを医師により指示される反復的処理において使用して、複数の観察された画像に応答して診断的発見を識別するステップと、
を有していることを特徴とするレポートを提供する方法。
【請求項２】
請求項１に記載の方法において、前記識別するステップが特定のサイトにおいて発生された複数のレポートを解析するステップを有していることを特徴とする方法。
【請求項３】
請求項１に記載の方法において、前記識別するステップが特定の調査検討に応答して発生された複数のレポートを解析するステップを有していることを特徴とする方法。
【請求項４】
請求項１に記載の方法において、前記翻訳するステップが、レポート結果を発生するのに使用される診断的発見のテキストを変更するステップを有し、前記レポート結果がコンピュータに基づくインターフェースにおいて使用されるものとは異なるレポート言語であることを特徴とする方法。
【請求項５】
請求項１に記載の方法において、前記使用するステップは、診断的発見をレポートに追加する前に、該診断的発見が操作者の望むレポート言語との一致を示す言語識別子を用いてコード付けされることを検証するステップを有していることを特徴とする方法。
【請求項６】
請求項１に記載の方法において、前記使用するステップは、診断的発見を発見の組に追加する前に、該診断的発見が操作者の望むレポート言語との一致を示す言語識別子を用いてコード付けされることを検証するステップを有していることを特徴とする方法。
【請求項７】
請求項１に記載の方法において、
多言語レポート医師に対するアクセスをエディタに提供するステップを更に有し、前記医師が特注化された診断的発見を所望のレポート言語で発生することを特徴とする方法。
【請求項８】
請求項６に記載の方法において、前記使用するステップが前記診断的発見の組を所望のレポート言語に関連付けるステップを有していることを特徴とする方法。
【請求項９】
請求項７に記載の方法において、前記特注化された診断的発見が、以前に承認された診断的発見の組からレポート医師の所望のレポート言語で派生することを特徴とする方法。
【請求項１０】
請求項８に記載の方法において、前記使用するステップが、前記診断的発見の組を所望の調査検討と関連付けるステップを有していることを特徴とする方法。
【請求項１１】
コンピュータに基づく診断レポートシステムにおいて、
複数の診断的発見を、診断レポートに使用するのに役立つテキスト型式で提供する手段と、
前記複数の診断的発見をレポート言語に翻訳する手段と、
前記複数の診断的発見を前記レポート言語で供給する手段と、
前記複数の診断的発見を選択的に適用して、前記診断レポートを発生させる手段と、
を有していることを特徴とする診断レポートシステム。
【請求項１２】
請求項１１に記載のシステムにおいて、前記提供する手段が、調査検討の解析に熟練した監督的医師により発生された複数の診断的発見を記憶する手段を有していることを特徴とするシステム。
【請求項１３】
請求項１１に記載のシステムにおいて、前記翻訳する手段が、複数の診断的発見をコンピュータインターフェースにより使用される言語とは異なるレポート言語で記憶する手段を有していることを特徴とするシステム。
【請求項１４】
請求項１１に記載のシステムにおいて、前記供給する手段が、前記レポート言語で記憶された前記複数の診断的発見を選択的に取り込む手段を有していることを特徴とするシステム。
【請求項１５】
請求項１１に記載のシステムにおいて、前記適用する手段が、前記複数の診断的発見を所定のレポート型式でフォーマットするように構成された医療レポート発生部を有していることを特徴とするシステム。
【請求項１６】
請求項１３に記載のシステムにおいて、前記複数の診断的発見が、調査検討の解析に熟練した多言語医師により発生されることを特徴とするシステム。
【請求項１７】
ソフトウェアアプリケーションにより駆動されるレポート発生システムにおいて、
レポートテンプレート、複数の診断的発見及び操作者からの入力を入力するように作用するユーザインターフェースであって、更にレポートを示すような出力を提供するようにプログラムされたユーザインターフェースと、
前記ユーザインターフェースからの出力及び前記複数の診断的発見を入力すると共に、前記操作者からの入力を評価するように作用する判断ロジックエンジンであって、所望のレポートのフォーマットされたものを示す出力を提供するような判断ロジックエンジンと、
前記所望のレポートの前記フォーマットされたものを示す前記出力を入力し、レポート出力装置と互換性のある信号を発生するように構成されたレンダラと、を有することを特徴とするシステム。
【請求項１８】
請求項１７に記載のシステムにおいて、前記ソフトウェアアプリケーションが、特定のレポートに関連するデータを記憶すると共に、該記憶されたデータを選択的に取り込んで再生するようにプログラムされていることを特徴とするシステム。
【請求項１９】
請求項１７に記載のシステムにおいて、前記ソフトウェアアプリケーションは、レポートに含めるように選択された複数の診断的発見が同一のレポート言語を反映しているか検証するロジックを備えて構成されていることを特徴とするシステム。
【請求項２０】
請求項１９に記載のシステムにおいて、前記ソフトウェアアプリケーションは、多言語レポート者が診断的発見を所望のレポート言語で編集するのを可能にするようなロジックを備えて構成されていることを特徴とするシステム。
【発明の詳細な説明】
【０００１】
【発明の属する技術分野】
本発明は、診断レポート処理に関する。更に詳細には、強化された診断医療レポート処理のためのシステム及び方法が開示される。
【０００２】
【従来の技術】
対象の患者に対し技術者により特別な試験又は複数の試験が実施されるにつれて、多くの臨床診断画像化調査検討内容が記録される。一般的に、訓練された技術者は、１以上の医療状況を診断するために必要とされる情報を記録するために、画像収集システムを使用して多数の作業を行う。技術者は、患者の人体における参照点を識別するために、記録された情報又は調査検討内容の各部を収集し、及び編集さえもすることができる。これら画像は、医師による後の解析及びレポート処理のために、ビデオテープ、固定ディスク装置及び他のデータ記憶装置に記録することができる。
【０００３】
これらのレポートにおいては大量の詳細な情報を見直し、評価し及び議論しなければならないので、コンピュータ化された医療レポート発生システムが開発された。これらのレポート発生システムの幾つかは医療レポートに対して汎用的なものである一方、他のものは技術者により行われる画像化調査検討（例えば、音響心臓レポート：ｅｃｈｏｃａｒｄｉｏｇｒａｐｈｉｃ ｒｅｐｏｒｔｓ）に特有のものである。
【０００４】
伝統的なレポート発生システムは、メニュ、グラフィックユーザインターフェース（ＧＵＩ）及びレポート結果に対して一次言語を使用している。しばしば、この一次言語は、特定の地理的領域内で働く典型的なレポートする医師の地域言語に依存して選択される。例えば、米国においては、レポート発生システムは、英語で書かれたテキスト型メニュ及びグラフィックユーザインターフェースを提供している。フランス国においては、レポート発生システムはフランス語を使用する。結果として、英語に基づくシステムにより発生されるレポートは英語で用意され、フランス語に基づくシステムにより発生されるレポートはフランス語で書かれる。
【０００５】
しかしながら、世界中にわたり、多言語医師に出会うのは普通である。このことは、多国籍言語を推進している国においては特に当てはまる。例えばカナダ国は、英語とフランス語の２つの公用語を有している。また、多言語医師にとり外国で医療訓練を受けることは、かなり普通である。
【０００６】
【発明が解決しようとする課題】
上記から、多言語医師が当該アプリケーションソフトウェアの種々のメニュ及びＧＵＩにおいて使用されている言語以外の言語で診断レポートを自動的に発生させるのを可能にするようなレポート発生システムを提供することが望まれることが理解されるであろう。更に、複数のレポート言語のみならず、当該レポート医師の“個性化された”言語選択を用いて種々の量的測定をレポートする能力をサポートするような自動化されたレポート発生解決策を提供する方法を有することが望ましいことも理解されるであろう。
【０００７】
【課題を解決するための手段】
簡単に述べると、アーキテクチャとしては、多言語レポート発生システムはデータ記憶装置、データ記憶エディタ、ユーザインターフェース、判断ロジックエンジン、レンダラ（ｒｅｎｄｅｒｅｒ）及びレポート出力装置を用いて実施化することができる。
【０００８】
一連の関連する診断的発見（ｆｉｎｄｉｎｇｓ）をレポート言語で発生する方法は、概略、次の様なステップを含む。即ち、アプリケーションインターフェースと同一言語で書かれた関連するテキストフィールドを有する一連の診断的発見を取り出すステップ；該一連の診断的発見を当該アプリケーションインターフェースにより使用されている言語とは異なるレポート言語に翻訳するステップ；及び該翻訳された診断的発見を記憶するステップである。
【０００９】
また、本開示は、個別化されたレポート医師のプロファイルを構成する方法も提示する。この第２の方法は、概略、次のようなステップを含む。即ち、レポート医師を識別するステップ；診断的発見の説明が当該アプリケーションインターフェースにより使用されている言語と同一の又は異なるレポート言語で書かれているようなデフォルトな医師プロファイルを収集するステップ；調査検討タイプを取り出すステップ；上記レポート言語及び調査検討タイプに応じて少なくとも１つの診断的発見グループを、グラフィックユーザインターフェースを介して提示するステップ；及び上記レポート医師が上記少なくとも１つの診断的発見グループに自己により発生された診断的発見コードを追加するのを可能にするステップである。
【００１０】
更に、本開示は診断レポートを医師により選択可能なレポート言語で発生する方法を提示する。この第３の方法は、概略、次のようなステップを含む。即ち、患者の調査検討内容を収集するステップ；該調査検討タイプを識別するステップ；レポート医師に関連されたレポートプロファイルを取り出すステップ；グラフィックユーザインターフェースを発生するステップ；上記患者の調査検討内容を観察するステップ；及び観察された画像に応じて適切な診断的発見コードを選択することによりレポートを発生するステップである。
【００１１】
強化された診断医療レポートのための上記システム及び方法の他の特徴及び利点は、当業者にとっては、以下の図面及び詳細な説明から明らかとなるであろう。全ての斯様な付加的な特徴及び利点は添付請求項により保護されるものとして、ここに含まれることを意図するものである。
【００１２】
【発明の実施の形態】
本発明は、添付図面を参照することにより、より良く理解されるであろう。尚、図面における構成要素は必ずしも寸法通りではなく、代わりに、本発明の原理を明確に示すために強調されている。更に、図面において、幾つかの図を通して同一の符号は、対応する部分を示している。
【００１３】
本開示は、広くは、自動化されたレポートシステムに関するものである。改良されたレポートシステムの一態様によれば、選択及び後の事前フォーマットされたレポートプロファイルへの挿入のために、複数のデフォルトな発見（ｆｉｎｄｉｎｇｓ）が翻訳され且つ診断的発見データベースに加えられる。当該医療レポートシステムの他の態様においては、医師又は当該システムの他の操作者が、デフォルトな（即ち、事前に供給された）診断的発見のテキストを修正し、該修正された診断的発見を新たな診断的発見としてレポート言語で記憶すると共に、オプションとして、同一のレポート言語で発生された複数の診断的発見をユーザ、調査検討タイプ及び／又は現場（サイト）に好まれるレポートプロファイルにグループ化することを可能にするようにデータベースエディタが設けられる。
【００１４】
いずれの場合においても、当該改良された医療レポートシステムは、好ましくは、超音波画像化収集及び画像記憶システム又は他の医療診断画像化装置からの診断画像を表示するように構成された１以上のシステムと共に使用される。当該改良された医療レポートシステムは、診断医師による収集後解析及び自動化されたレポート発生を可能にするために、複数の種々の画像化装置と統合することができると理解されたい。幾つかの例示的な臨床アプリケーションは、心臓一般の画像化、冠状動脈の画像化、冠状動脈血流予備能評価、血液灌流画像化、及び人体全体の種々の臓器への血液供給を画像化することによる腫瘍の検出を含む。
【００１５】
同一の符号が幾つかの図を通して同様の対応する部分を示す添付図面を詳細に参照して、図１に注意を向けると、該図は、強化された医療レポート発生部がここに記載された多言語診断レポートを発生するための種々の方法を実施することが可能な、一般的な収集後診断環境を示している。この点に関していうと、当該医療レポート発生部は、ソフトウェア、ファームウェア、ハードウェア又はこれらの組合せとして実施化することができる。目下考慮中の最良の形態においては、当該医療レポート発生部は、実行可能なプログラムとしてソフトウェアで実施化され、パーソナルコンピュータ（ＰＣ；ＩＢＭ互換型、アップル互換型又はそれ以外）、ワークステーション、ミニコンピュータ又はメインフレームコンピュータ等の専用又は汎用デジタルコンピュータにより実行される。収集後診断環境の一例が図１に示されている。該収集後診断環境は全体として符号１０により示され、関連する入力及び／又は出力（Ｉ／Ｏ）周辺装置１６０のホストである汎用コンピュータ１１、並びに画像収集及び記憶システム１５０を有することができる。
【００１６】
一般的にハードウェアアーキテクチャの点では、図１に示すように、該コンピュータ１１はプロセッサ１２、メモリ１４、及びローカルインターフェース１８を介して通信的に結合された１以上のＩ／Ｏインターフェース１６（又は周辺機器インターフェース）を含んでいる。ローカルインターフェース１８は、従来知られているように、これらに限られるものではないが、例えば１以上のバス又は有線若しくは無線の接続部とすることができる。該ローカルインターフェース１８は、通信を可能にするために、簡略化のために省略をされているが、コントローラ、バッファ（キャッシュ）、ドライバ、中継器及び受信機等の追加のエレメントを有することができる。更に、該ローカルインターフェースは、上述した構成要素間で適切な通信を可能にするためにアドレス、制御及び／又はデータ接続部を含むことができる。
【００１７】
プロセッサ１２は、メモリ１４に記憶することが可能なソフトウェアを実行するハードウェア装置である。プロセッサ１２は、如何なる専用又は市販のプロセッサ、中央処理装置（ＣＰＵ）又はコンピュータ１１に関連された幾つかのプロセッサの間の補助プロセッサ、及び半導体型マイクロプロセッサ（マイクロチップの形の）又はマクロプロセッサとすることもできる。好適な市販のマイクロプロセッサの例は、次の通りである。即ち、ヒューレットパッカード社のＰＡ−ＲＩＳＣ系マイクロプロセッサ、インテル社の８０ｘ８６若しくはペンティアム（Ｒ）系マイクロプロセッサ、ＩＢＭのパワーＰＣマイクロプロセッサ、サン・マイクロシステムズ社のＳｐａｒｃマイクロプロセッサ、又はモトローラ社の６８ｘｘｘ系マイクロプロセッサである。
【００１８】
メモリ１４は、揮発性メモリエレメント（例えば、ランダムアクセスメモリ（ダイナミックＲＡＭ即ちＤＲＡＭ、及びスタチックＲＡＭ即ちＳＲＡＭ等のＲＡＭ））及び不揮発性メモリエレメント（例えば、読み出し専用メモリ（ＲＯＭ）、ハードドライブ、テープドライブ、コンパクトディスク（ＣＤ−ＲＯＭ）等）の何れか又は組合せを含むことができる。更に、メモリ１４は、電子、磁気、光学及び／又は他の型式の記憶媒体を組み込むことができる。該メモリ１４は、種々の構成要素が互いから離れて位置されるが、プロセッサ１２によりアクセスされ得るような分散型のアーキテクチャを有することができることに注意されたい。
【００１９】
メモリ１４内のソフトウェアは１以上の別個のプログラムを含むことができ、これらプログラムの各々は論理機能を果たすために実行可能な命令の順序づけられたリスティングを有している。図１の例においては、メモリ１４内のソフトウェアは、医療レポート発生部１００及び適切なオペレーティングシステム１２０を含んでいる。好適な市販のオペレーティングシステム１２０の例の全部ではないリストは次の通りである。即ち、マイクロソフト社のウインドウズオペレーティングシステム、ノーベル社のネットウェアオペレーティングシステム、又はヒューレットパッカード社及びサン・マイクロシステムズ社等の多くの販売者から購入することができるユニックスオペレーティングシステムである。オペレーティングシステム１２０は、本質的に、医療レポート発生部１００等の他のコンピュータプログラムの実行を制御すると共に、スケジューリング、入出力制御、ファイル及びデータ管理、メモリ管理、通信制御並びに関連するサービスを提供する。
【００２０】
医療レポート発生部１００は、ソースプログラム、実行可能なプログラム（オブジェクトプログラム）、スクリプト、又は実行されるべき一連の命令を有する何れかの他の主体である。ソースプログラムの形態の場合、該プログラムはコンパイラ、アセンブラ又はインタープリタ等を介して翻訳される必要があり、これらは上記オペレーティングシステム１２０との関連で適切に動作するようにメモリ１４に含まれるか又は含まれないようにすることができる。更に、医療レポート発生部１００は、（ａ）データ及び方法のクラスを有するオブジェクト指向プログラミング言語、又は（ｂ）限定されるものではないが例えばＣ、Ｃ＋＋、パスカル、ベーシック、フォートラン、コボル、パール、ジャバ及びアダ等のルーチン、サブルーチン及び／又はファンクションを有するプロシージャプログラミング言語として書くことができる。目下考慮されている本発明を実施する最良の形態においては、当該医療レポート発生部１００はＣ＋＋で書かれる。
【００２１】
Ｉ／Ｏ装置１６０は、限定されるものではないが、例えばキーボード３６、マウス３９、マイクロフォン４３等の入力装置を含むことができる。更に、Ｉ／Ｏ装置１６０は、限定されるものではないが、例えばディスプレイ３３、プリンタ４９及び外部スピーカ４６等の出力装置を含むことができる。最後に、Ｉ／Ｏ装置１６０は、限定されるものではないが、例えば変調器／復調器（他の装置、システム又はネットワークにアクセスするためのモデム）、無線周波数（ＲＦ）又は他の送受信器、電話インターフェース、ブリッジ及びルータ等の入力及び出力を通信する装置を更に含むことができる。図示の簡略化のために、上述した双方向通信装置は図示されていない。
【００２２】
コンピュータ１１がＰＣ又はワークステーション等である場合、メモリ１４におけるソフトウェアは基本入出力システム（ＢＩＯＳ）を更に含むことができる（図示の簡略化のために省略されている）。ＢＩＯＳは、開始時にハードウェアを初期化及びテストし、オペレーティングシステム１２０を開始させ、並びにハードウェア装置間でのデータの転送をサポートする一連の必須のソフトウェアルーチンである。ＢＩＯＳは、コンピュータ１１が起動された場合に該ＢＩＯＳを実行することができるように、ＲＯＭに記憶される。
【００２３】
コンピュータ１１が動作状態の場合、プロセッサ１２はメモリ１４内に記憶されたソフトウェアを実行し、メモリ１４へ又はメモリ１４からデータを伝送し、上記ソフトウェアに従ってコンピュータ１１の動作を制御するように構成される。医療レポート発生部１００及びオペレーティングシステム１２０は、全体として又は部分的に（典型的には後者）プロセッサ１２により読み込まれ、多分該プロセッサ１２内でバッファされ、次いで実行される。
【００２４】
医療レポート発生部１００が図１に示されているようにソフトウェアで構成される場合、該医療レポート発生部１００は、如何なるコンピュータ関連システム若しくは方法により又は斯かるシステム若しくは方法と関連して使用する如何なるコンピュータ読み取り可能な媒体上にも記憶することができることに注意すべきである。この文書の文脈上、コンピュータ読み取り可能な媒体は、コンピュータ関連システム若しくは方法により又は斯かるシステム若しくは方法に関連して使用するためのコンピュータプログラムを含み又は記憶することができるような電子、磁気、光学又は他の物理的装置若しくは手段である。上記医療レポート発生部１００は、コンピュータ型システム、プロセッサを含むシステム、又は命令実行システム、装置若しくは機器から命令を取り込むと共に斯かる命令を実行することが可能な他のシステムのような、命令実行システム、装置若しくは機器により、又は斯かるシステム、装置若しくは機器に関連して使用するための如何なるコンピュータ読み取り可能な媒体において実施化することもできる。この文書の文脈上、“コンピュータ読み取り可能な媒体”は、上記命令実行システム、装置若しくは機器により又は斯かるシステム、装置若しくは機器に関連して使用するためのプログラムを記憶し、伝送し、伝搬させ又は移送することができるような如何なる手段でもあり得る。該コンピュータ読み取り可能な媒体は、限定されるものではないが、例えば電子、磁気、光学、電磁、赤外線又は半導体のシステム、装置、機器又は伝搬媒体とすることができる。該コンピュータ読み取り可能な媒体の一層特定的な例（全部は網羅しないリスト）は、次のものを含む。即ち、１以上の配線を有する電気（電子）接続、携帯コンピュータディスケット（磁気）、ランダムアクセスメモリ（ＲＡＭ：電子）、読み取り専用メモリ（ＲＯＭ：電子）、消去可能なプログラマブル読み出し専用メモリ（ＥＰＲＯＭ、ＥＥＰＲＯＭ又はフラッシュメモリ：電子）、光ファイバ（光学）、及び携帯コンパクトディスク読み出し専用メモリ（ＣＤ−ＲＯＭ）である。該コンピュータ読み取り可能な媒体は、プログラムが例えば紙又は他の媒体の光学走査により電子的に捕捉され、次いで必要なら適切な方法でコンパイルされ、翻訳され又はそれ以外で処理され、次いでコンピュータメモリに記憶されるような、プログラムが印刷された紙又は他の好適な媒体でさえあり得ることに注意されたい。
【００２５】
図１に示すように、コンピュータ１１には、画像収集及び記憶システム１５０からデータを入力するのに適したレポート入力インターフェース１５を設けることができる。該レポート入力インターフェース１５は、超音波画像化システム（図示略）により提供されるリアルタイムなビデオストリームを受信する適切な帯域幅を備えるネットワーク接続の形態をとることもできると理解すべきである。他の例として、該レポート入力インターフェース１５は、テープドライブインターフェース又はリアルタイム画像インターフェースのような記憶装置インターフェースの形態をとることもできる。画像収集及び記憶システム１５０の性質がどのようであろうとも（リアルタイム又は収集後の再生）、コンピュータ１１はディスプレイ３３及びインターフェース１５，１６と共に動作して、診断医師により見直し、解析し及びレポートすることができるような複数の診断画像を再生する。
【００２６】
［医療レポート発生部のアーキテクチャ及び動作］
ここで図２を参照すると、医療レポート発生部１００は、データ記憶装置１０５、ユーザインターフェース１１０、判断ロジックエンジン１３０、レポートエディタ１７０、レンダラ１４０及びコンフィギュレーションマネージャ１７５からなっている。図２のブロック図に示すように、ユーザインターフェース１１０は、レポートエディタ１７０、判断ロジックエンジン１３０及びコンフィギュレーションマネージャ１７５と繋がっている。図２に更に示されるように、判断ロジックエンジン１３０は、データ記憶装置１０５及びユーザインターフェース１１０と繋がり、これらデータ記憶装置１０５及びユーザインターフェース１１０からの入力に基づいてレポートインスタンス１８０を発生するように構成されている。次いで、レンダラ１４０はレポートインスタンス１８０からの情報を入力及び変換すると共に、医療診断レポート８００を作成する。
【００２７】
ユーザインターフェース１１０は、一次アプリケーション言語（ＰＡＬ）で提示される複数のデータ入力ウィンドウ又はフレームからなっている。ＰＡＬは、しばしば、地域言語の形態をとり、医療レポート発生部１００内で使用することができるようなデフォルトなレポート言語を表す。好ましくは、ユーザインターフェース１１０は、レポート医師により容易に認識及び操作可能な標準の人間／機械インターフェースの下で提示される複数のＧＵＩの形態をとることができる。例えば、ユーザインターフェース１１０は、各々が１以上のファイルコマンド押ボタンを含むメニュバー及びコマンドバー、並びに１以上のフォーマットコマンド押ボタンを備える複数のアプリケーションウインドウの形態をとる。
【００２８】
データ記憶装置１０５は、複数の供給された診断的発見を含む。各診断的発見は、ユーザインターフェース１１０を作成するのに使用されたものと同一の言語で書かれたテキストフィールドに関連される。また、データ記憶装置１０５は、自身のレポートのフォーマットを適合させるために、レポート医師により選択することが可能な１以上のローカルレポートテンプレート、即ちプロファイルを識別する複数のレコードも含んでいる。判断ロジック１３０は、データ記憶装置１０５から現場（サイト）レポート定義を入力すると共に、ユーザインターフェース１１０からユーザ選択を入力する。上記サイトレポート定義は、ユーザインターフェース１１０及び判断ロジックエンジン１３０を介してレポートエディタ１７０によりインポートされ、当該医療レポート発生部１００を用いて発生される全ての診断レポートに適用されるべきサイトテンプレート１７２の形態で、現場固有のレポートフォーマット規則を提供する。他の例として、サイトテンプレート１７２は、当該医療レポート発生部１００により発生される全ての診断レポート８００用のデフォルトなテンプレートとして構成することもできる。
【００２９】
レポートエディタ１７０は少なくとも１つのサイトテンプレート１７２に関連付けることができ、該サイトテンプレートは少なくとも１つのレポートプロファイル１７４に関連付けられる。各レポートプロファイル１７４は１以上の調査検討（ｓｔｕｄｙ）テンプレート１７６に関連付けることができる。また、図２にブロック図として示すように、レポートエディタ１７０にはテキストエディタ１７８を設けることができる。
【００３０】
データ記憶装置１０５は、これらサイトテンプレート１７２又は自身のレポートのフォーマットを適合させるためにレポート医師により選択することができるユーザ固有のレポートテンプレート又はプロファイル１７４の１以上を識別する複数のレコードを含んでいる。この特注テンプレート、即ちレポートプロファイル１７４は、好ましくは、ユーザインターフェース１１０を介してレポートエディタ１７０によりインポートされ、該テンプレート即ちレポートプロファイル１７４を発生した個々のユーザにより準備された診断レポートに適用されるユーザ（即ちレポート者）固有のレポートフォーマット規則を提供する。
【００３１】
また、データ記憶装置１０５は、レポート医師により自身のレポートのフォーマットを適合させるために選択することが可能な特定のタイプの調査検討のための１以上のレポートテンプレート又はプロファイルを識別する複数のレコードを含むこともできる。この特注化された調査検討テンプレート１７６は、ユーザインターフェース１１０を介してレポートエディタ１７０によりインポートされ、当該医療レポート発生部１００により作成される特定の調査検討タイプに関する診断レポートに適用されるべき調査検討固有のレポートフォーマット規則を提供する。
【００３２】
また、図２に示されるように、ユーザインターフェース１１０及びデータ記憶装置１０５と繋がるコンフィギュレーションマネージャ１７５を、当該医療レポート発生部１００に追加して、サイトの、レポート者の及び調査検討のレポートの柔軟性を可能にすることができる。コンフィギュレーションマネージャ１７５は、サイト管理者、レポート医師、及び／又は通常の診断的発見を追加したいと欲する当該医療レポート発生部１００の他の許可された操作者が作業を容易に遂行するのを可能にする。
【００３３】
新たな診断的発見及び該発見に関連するテキストはデフォルトなレポート言語（ＰＡＬ）で得ることができるか、又は操作者は診断的発見をユーザインターフェース１１０により使用される言語（即ち、ＰＡＬ）とは異なる二次レポート言語（ＳＲＬ）で追加するように選択することができる。好ましくは、操作者は新たな診断的発見を適切な調査検討タイプに関連付けて、該診断的発見が、解析されている画像に提示された人体の診断レポート８００に含めるのに適した診断的発見の表示リスト又は組において利用可能にする。
【００３４】
更に、コンフィギュレーションマネージャ１７５は、許可された操作者が特定の発見に関連したテキストフィールドを編集するのを可能にする。特定の発見のテキストは、該発見がレポートで使用された後には変更することはできない。レポート医師は、コンフィギュレーションマネージャ１７５を介して新たなコードを関連するテキストフィールドと共に自由に加えることができる。更に、レポート医師は、自身のレポートプロファイルから不所望な発見コードを除去することもできる。この機能は、多言語レポート医師に、量的言語を自身のレポート言語に変更する柔軟性を可能にする。
【００３５】
当該医療レポート発生部１００は、編集しているユーザによる許可されたレポート医師のみによるアクセスを可能にするよう構成することができる。他の例として、サイト内規則を、１以上のフランス語レポート医師により編集された診断的発見がフランス語を自身のレポート言語として選択する全てのレポート医師に対して利用可能にされる如くに、適用することもできる。一次アプリケーション言語（ＰＡＬ）で書かれたテキストを伴うデフォルトの組の診断的発見は全てのレポート医師に対して利用可能であることに注意することが重要である。
【００３６】
また、図２に示されたように、レポートエディタ１７０は、サイトテンプレート１７２、操作者のレポートプロファイル１７４及び調査検討テンプレート１７６において成文化されたレポート発生規則及び基準により拘束される。例えば、サイトテンプレート１７２はコンタクト情報等の組織に関する識別情報を含むことができる。また、サイトテンプレート１７２は、患者の識別情報を入力するための標準のフォーマットを含むこともできる。対照的に、操作者の個性化されたレポートプロファイル１７４は、レポート医師に関する識別情報及び当該情報を提示するための標準フォーマットコマンドを含むことができる。更に、レポートプロファイル１７４は、レポート者が解析する資格のある調査検討のリスト、及びレポート者が最終診断レポート８００に含めるのを承認する文を含むような診断的発見の好ましい集合を含むことができる。一方、調査検討テンプレートは、解析されている画像の源、提示されているレポートのタイプ（即ち、調査検討）及び当該特定のタイプの診断レポート８００に含めるのを事前に承認された一連の適切な選択された診断的発見を識別する情報を含むことができる。
【００３７】
図２に更に示されるように、レポートエディタ１７０は、ユーザインターフェース１１０と協動して当該医療レポート発生部１００が、以前に供給された又はサイトで修正された診断的発見の何れかに対して何れかの必要な修正をなし遂げるのを可能にするようなテキストエディタ１７８を設けるように構成することができる。医療レポート発生部１００が種々のレポートテンプレート１７２、１７６又はプロファイル１７４のユーザによる修正を可能にする（操作者が、そのように許可された場合）よう構成された１以上のエディタを備えて構成することができることも理解されるであろう。テキストエディタ１７８は、好ましくは、当該医療レポート発生部１００の操作者が通常に実施されるテキスト編集作業を実行するのを可能にするのに適した機能を含むものとする。例えば、テキストエディタ１７８は、当該テキストエディタ１７８自体内で発生されたテキスト又は外部のワープロアプリケーションで発生されたテキストから“コピーされた”テキストの“貼り付け”を可能にするように構成することができる。更に、テキストエディタ１７８は、レポート医師により選択されたレポート言語で動作するスペルチェック能力を備えて構成することもできる。更に、テキストエディタ１７８が現在の調査検討における関心の人体組織に関連する医学用語を含む知識ベースを備えて構成することも考えられる。
【００３８】
種々の他のレポートフォーマットも設けることができる。例えば、サイトテンプレート１７２は２以上のレポートプロファイル１７４に関連付けることができる。この場合、各レポートプロファイル１７４は２以上の調査検討テンプレート１７６を使用することができ、これらの各々を選択的に編集してサイト、レポート者及び調査検討で特注可能なレポートを提供することができる。
【００３９】
図２に更に示されるように、判断ロジック１３０はユーザインターフェース１１０及びレポートエディタ１７０と一緒に動作して、サイトインスタンス１８２、プロファイルインスタンス１８４、調査検討インスタンス１８６及び表現式１８８を含むようなレポートインスタンス１８０を発生する。上記インスタンス１８２、１８４及び１８６の各々は、操作者により選択された関連するテンプレート１７２、１７６及び／又はプロファイル１７４に定められる規則に各々従うようなサイト、プロファイル及び調査検討に固有なデータの統合を表す。また、レポートインスタンス１８０は、特定の医療診断レポート８００を発生する際に操作者により選択及び／又は編集された累積的情報を表す表現式１８８も含む。
【００４０】
図２に示すように、レポートインスタンス１８０はレンダラ１４０に供給され、該レンダラは診断レポート８００の適切な表現を発生するように構成されている。好ましくは、該レンダラ１４０は複数のＩ／Ｏ装置と選択的にインターフェースするように構成される。例えば、好ましい実施例においては、レンダラ１４０はウェブブラウザアプリケーションとインターフェースして、レポート８００をディスプレイ３３（図１）又はコンピュータ１１（図１）と繋がる何れかの他の表示装置上にリアルタイムに（即ち、発生されるにつれて）発生させるために操作者により使用することができるようなＧＵＩ５００（図１）を表示するように構成される。
【００４１】
レポート８００がウェブブラウザ又は種々のレポート装置と統合された他の適切なアプリケーションに関連するバッファ内で一旦利用可能になると、該レポートは処理することができ、最早、医療レポート発生部１００には依存することはないと理解すべきである。例えば、レポート８００が、統合されたウェブブラウザアプリケーション内に存在すると、該レポート８００は該ウェブブラウザ内で発生されるコマンドにより記憶し、ファックスし、表示し、電子メイルし及び／又は印刷することができる。レポート８００がネットワーク装置上に一旦記憶されたら、該レポート８００は上述した配信手段の何れかを介して、適切なファイルアクセスを許可された操作者に対し利用可能となる。
【００４２】
当該医療レポート発生部１００は、好ましくは、ポピュラーなワープロプログラムと共に普通に使用される標準のコンピュータインターフェースを形成するようにプログラムされる。該インターフェースに含まれるものは、以下に規定するような幾つかの機能である：
［文脈依存メニュ］オプションを、当該メニュが呼び出された文脈に依存して利用可能又は利用不可能として強調するメニュ。
［ドロップダウンメニュ］メニュバーから下に降り、閉じられるか又は利用可能なメニュオプションが選択されるまで活性状態に留まる。
［メニュバー］画面の上部を横切るバーで、関連するドロップダウンメニュを起動させる１以上のラベルを含む。
［プルダウンメニュ］典型的にはドロップダウンメニュのオプション上でポインティングデバイスを移動させることにより起動される副メニュ。
［ポップアップメニュ］フィーチャ押しボタンの選択で起動されるメニュ。
［スクロールバー］画面の横又は下部のバーで、ユーザが大きな画面を介して左右及び／又は上下にスクロールするのを可能にする。
【００４３】
次に図３を参照すると、該図は、図２のデータ記憶装置１０５内に含むことができる二次レポート言語（ＳＲＬ）データベース３２５内のレコードに関連付けることができる情報を示した図表を表している。この点に関していうと、該ＳＲＬデータベース３２５は複数のレコードを有することができ、これらレコードの各々は、診断的発見識別子即ち発見ＩＤ３５０、言語コード３５２、診断的発見の組の識別子即ち組番号３５４、及びテキストフィールド３６０を含んでいる。該ＳＲＬデータベース３２５は各々が複数のフィールドを含むような複数のレコードを備えるリレーショナルデータベースの形で提供されることが分かるであろう。他の例として、該ＳＲＬデータベース３２５は従来知られているようにオブジェクト指向データベースとして構成することもできる。
【００４４】
発見ＩＤ３５０、言語コード３５２及び組番号３５４の各レコードインスタンスは、特定の設計的選択に依存して変化する長さを持つような英数文字列として記憶することができる。上記言語コードは、好ましくは、言語を識別するための標準コードを含む、国際標準化機構（ＩＳＯとしても知れられている：ＩＳＯは等しいを意味するギリシャ作品に関する頭文字である）のコード６３９−２ １９９８から選択される。しかしながら、当該医療レポート発生部１００はＩＳＯ６３９−２規格に規定された標準言語コードを使用することに限定されるものではない。
【００４５】
また、図３の図表に示されるように、発見ＩＤ３５０、言語コード３５２及び組番号３５４の各レコードインスタンスは、レポートテキストフィールド３６０に関連付けることができる。このレポートテキストフィールド３６０は、レポート医師が特定の診断的発見ＩＤ３５０を選択した場合に医療診断レポート８００において取り出され及び提示されるであろう文言を含む。例示として、レポート医師が診断レポート８００をフランス語で選択的に発生させたいと欲する場合、該医療レポート発生部１００は、診断的発見ＩＤ“３６７”を診断的発見の組“０３３”と関連させて提供するようなＧＵＩを提示するように構成され得る。図３に示すように、診断レポート８００に入力されたテキストは、関連するレポートテキストフィールド３６０内のテキスト、即ち“Ｖｏｉｃｉ ｂｏｎ ｅｔｕｄｉｅｒ …”を反映するであろう。
【００４６】
ここで図４を参照すると、該図は図２の改良された医療レポート発生部１００を構成するために使用することができるような、一連の関係する診断的発見をレポート言語で発生する方法を示すフローチャートを表している。この点に関して言うと、一連の関係する診断的発見をレポート言語で発生する該方法４００は、“開始”とラベルを付されたステップ４０２で開始することができる。先ず、一連の関係する診断的発見をレポート言語で発生する該方法４００は、ステップ４０４に示すように、“新たな”診断的発見の組を一次アプリケーション言語又は何らかの他の言語で著された以前に発生された発見を用いずに作成することが望まれるかを判断するような質問を実行するようになされる。ステップ４０４の質問に対する応答が肯定的である場合、即ち当該作者が診断的発見の新たな組を二次レポート言語で作成したいと欲する場合は、一連の関係する診断的発見をレポート言語で発生する該方法４００は、“Ｙｅｓ”なる流れ制御矢印により示されるようにステップ４０６を実行するように分岐し、該ブロックにおいて、１以上の新たな診断的発見が、選択されたレポート言語で作成され且つ記憶される。次に、一連の関係する診断的発見をレポート言語で発生する該方法４００は、ステップ４０６から出る流れ制御矢印により示されるように、ステップ４１２を実行するようになる。
【００４７】
それ以外の場合、一連の関係する診断的発見をレポート言語で発生する該方法４００は、ステップ４０８に示すように、一次アプリケーション言語で書かれた一連の以前に作成された診断的発見を取り込む。これら診断的発見は、次いで、適格なトランスレータに供給され、斯かるトランスレータは上記診断的発見に関連するテキスト句をステップ４１０に示すように二次レポート言語に翻訳する。次に、ステップ４１２において、上記の翻訳された発見は、１以上の多言語医師又は、それ以外では、適格な個人により正式に承認することができる。
【００４８】
二次レポート言語、即ちＳＲＬで発生されたテキストに関連する診断的発見の上記組が一旦承認されると、これら診断的発見の各々はステップ４１４に示すように言語コードに関連付けることができる。次いで、言語がコード付けされた診断的発見の上記組は、ステップ４１６に示すように記憶される。かくして、主要な仕事を成し遂げた、一連の関係する診断的発見をレポート言語で発生する該方法４００は、次いで、“終了”なるラベルが付されたステップ４１８に示すように終了される。
【００４９】
次に図５を参照すると、該図は図２の改良された医療レポート発生部により使用することができるような、特注化されたレポート医師プロファイルを構成する方法を示すフローチャートを表している。図５に示されるように、該特注のレポート医師プロファイルを構成する方法４２５は、“開始”とラベルが付されたステップ４２７で開始することができる。先ず、該特注のレポート医師プロファイルを構成する方法４２５は、ステップ４２９に示すように、当該コンフィギュレーションマネージャアプリケーションの現在の操作者を識別するようになされる。次いで、該特注のレポート医師プロファイルを構成する方法４２５は、ステップ４３１に示すように、デフォルトの操作者プロファイルを得る。他の例として、該特注のレポート医師プロファイルを構成する方法４２５は操作者固有のプロファイルを取り込むこともできる。該操作者に固有なレポートプロファイルは、各々が二次レポート言語で発生されたテキストフィールドを含むような１以上の診断的発見の組に関連付けることができる。次に、当該操作者は、ステップ４３３に示すように、所望のレポート言語を入力するように促され得る。次いで、該特注のレポート医師プロファイルを構成する方法４２５は、ステップ４３５に示すように、調査検討タイプを取り込む。
【００５０】
所望のレポート言語、調査検討タイプ及び操作者プロファイルを識別した該特注のレポート医師プロファイルを構成する方法４２５は、次いで、ステップ４３７に示すように１以上の診断的発見のグループ又は組をロードすることができる。次に、ステップ４３９に示すように、コンフィギュレーション管理ＧＵＩが発生され、操作者に提示される。
【００５１】
この時点で、ステップ４４１に示すように、操作者には、該操作者が操作者プロファイルから発見グループを追加／削除するのを可能にするようなコンフィギュレーション管理ＧＵＩが提示される。ステップ４４３に示すように、該特注のレポート医師プロファイルを構成する方法４２５は、現在活性状態の診断的発見の組又はグループに対して、関連する診断的発見を既述する修正されたテキストステートメントを伴う特定の診断的発見を追加／削除するようになる。次に、ステップ４４５において、該特注のレポート医師プロファイルを構成する方法４２５は、修正された診断的発見を待避するようになる。ステップ４４７において、該特注のレポート医師プロファイルを構成する方法４２５は、いずれの修正された発見グループも待避する。
【００５２】
操作者は、所望の種々の編集作業を完遂するのに必要な限り、方法ステップ４４１及び４４３に関連する編集コンフィギュレーションモードに留まることができることに注意されたい。操作者が上記種々のレポートプロファイルに一旦満足したら、当該情報はステップ４４５及び４４７に示すように待避することができる。
【００５３】
次に、ステップ４４９に示すように、操作者は修正されるべきユーザプロファイルを有する何れかの追加の調査検討タイプが存在するかについて催促され得る。他の例として、当該コンフィギュレーション管理ＧＵＩに関し、操作者には関心のある調査検討タイプを識別するためのオプションの調査検討タイプの選択インスタンスが提示されるようにすることもできることが分かる。ステップ４４９の質問に対する応答が肯定的である場合、該特注のレポート医師プロファイルを構成する方法４２５は、当該フローチャートの“Ｙｅｓ”分岐に流れ制御矢印により示されるようにステップ４３７ないし４４９を繰り返すようにすることができる。
【００５４】
それ以外の場合、第１レポート言語での編集作業を完了した該特注のレポート医師プロファイルを構成する方法４２５は、操作者に、ステップ４５１の質問に示されるように、追加のレポート言語が構成されるべきかに関して質問するようにすることができる。ステップ４５１の質問に対する応答が肯定的である場合、該特注のレポート医師プロファイルを構成する方法４２５は、当該フローチャートの“Ｙｅｓ”分岐に流れ制御矢印により示されるようにステップ４３３ないし４５１を繰り返すようにすることができる。上記種々の構成作業を完了した該特注のレポート医師プロファイルを構成する方法４２５は、次いで、“終了”とラベルが付されたステップ４５３に示すように終了される。
【００５５】
図６は、図２の改良された医療レポート発生部により実施することができるような、診断レポート８００を医師により選択可能なレポート言語で発生する方法を示すフローチャートを表している。この点に関して述べると、該診断レポートを発生する方法４６０は、“開始”とラベルを付されたステップ４６２で開始することができる。先ず、該診断レポートを発生する方法４６０は、ステップ４６４に示すように患者の調査検討を得るようにすることができる。次に、該診断レポートを発生する方法４６０は、ステップ４６６、４６８及び４６９において、現在の操作者、調査検討形式及び現在のレポート言語を各々識別するようにすることができる。上記調査検討形式及び当該医療レポート発生部１００の操作者を識別した該診断レポートを発生する方法４６０は、ステップ４７０に示すように、現在の操作者に関連する調査検討プロファイルを取り込むようにすることができる。現在の操作者に関連する該調査検討タイプは、各々が二次レポート言語で発生されたテキストフィールドを含むような１以上の診断的発見の組に関連付けることができる。
【００５６】
次に、該診断レポートを発生する方法４６０は、ステップ４７２に示すように、対話型ＧＵＩを発生するようにすることができる。当該医療レポート発生部１００が初期化された場合、当該操作者は次いでステップ４７４に示すように患者の調査検討を見及び解析することができる。操作者が現在の調査検討に関するレポートテンプレートの種々の部分の各々に関する診断的結論に一旦到達すると、該操作者は当該医療レポート発生部１００を用いてステップ４７６に示すように診断レポート８００を作成することができる。操作者が、当該レポートが完全であることに一旦満足したら、操作者が開始する多数のコマンド入力の何れかが入力されて、“終了”とラベルが付されたステップ４７８に示すように該診断レポートを発生する方法４６０を終了させる。
【００５７】
図４ないし６のフローチャートにおけるいずれの処理の説明、即ちブロックも、コンフィギュレーション管理ＧＵＩ又は医療レポート発生部１００における特定の論理機能又はステップを実施するための１以上の実行可能な命令を含むようなモジュール、セグメント又はコードの部分を表すものと理解すべきである。本発明の当業者によって理解されるであろうように、関係する機能に依存して、略同時的の又は逆の順序の及び／又は手動のものを含み、図示又は上述した順とは異なる順序で機能を実行することができるような他の実施例も、上記医療レポート発生部１００の好ましい実施例の範囲内に含まれるものである。
【００５８】
［コンフィギュレーションマネージャインターフェース］
好ましいコンフィギュレーションマネージャＧＵＩが図７Ａに提示されている。更に詳細には、図７Ａは、ＳＲＬ及び最終的診断レポート８００に含めることができる１以上の診断的発見のグループ又は組を選択するのに適した好ましいＧＵＩの概念図を示している。図７Ａは、符号６００により示されるＧＵＩを全体として図示し、該ＧＵＩは、前記データ記憶装置１０５（図２）内のＳＲＬデータベース内に記憶することができる種々のＳＲＬ及び関連する診断的発見の組に対する操作者のアクセスを制御するためにコンフィギュレーションマネージャ１７５により提供することができる。前述したように、データ記憶装置１０５内で利用可能な種々のＳＲＬは、特定の診断的発見を記述するような事前に許可された又は操作者により付加されたテキスト句の形で供給される。データ記憶装置１０５に記憶された各診断的発見は、特定の診断的発見を記述するテキスト内でレポート医師により使用される言語を示すような情報でコード化されている。
【００５９】
図示されているように、ＧＵＩ６００は、各々が特定の目的のために状況に合わせて修正された一連の層状のページを提示することができる。この点に関していうと、図７Ａは“発見コード（Ｆｉｎｄｉｎｇ Ｃｏｄｅｓ）”インターフェースページを選択すると操作者に対して提示され得るような例示的インターフェースを示している。インターフェースページ５０１は、“エクスポート（Ｅｘｐｏｒｔ）”及び“インポート（Ｉｍｐｏｒｔ）”選択ボタン６３０及び６３１、並びにポインティング装置を用いて下向き矢印６３３を選択することにより操作可能にされ得るような事前に構成されたスクロール可能なメニュを有するＳＲＬデータ入力フィールド６３２を含むことができる。また、インターフェースページ５０１は、以前に選択されていた診断的発見の組を解放すると共に、操作者により選択されたレポート言語でレポートするのに適した複数の診断的発見の組を取り込むように作用する“ロード（Ｌｏａｄ）”押ボタン６３４も含むことができる。
【００６０】
図７Ａのインターフェースに示されているように、前記医療レポート発生部１００は、“発見グループ（Ｆｉｎｄｉｎｇ Ｇｒｏｕｐｓ）”表示ウインドウ及び“発見（Ｆｉｎｄｉｎｇｓ）”表示ウインドウを図示のように提示するように構成することができる。上記表示ウインドウの各々は操作者が提示されたデータを通してスクロールするのを可能にするために１以上の押ボタン及びスライドを用いて構成してもよいことが分かる。例えば、上記“発見グループ”表示ウインドウには、上向き矢印押ボタン６３５、下向き矢印押ボタン６３７及び上下スクロールスライドボタン６３６を設けることができる。同様に、前記“発見”表示ウインドウにも、上向き矢印押ボタン６３５、下向き矢印押ボタン６３７及び上下スクロールスライドボタン６３６を設けることができる。
【００６１】
特定の表示ウインドウに表示されるべきデータが表示装置３３（図１）の装置能力を超えるような場合には、該表示ウインドウは一連の水平方向制御を備えて構成することができる。例えば、前記“発見”表示ウインドウには、左向き矢印押ボタン６４０、右向き矢印押ボタン６４３及び左右スクロールスライドボタン６４２を設けることができる。図７Ａに示すインターフェースは、更に、ＯＫ、キャンセル及び適用機能押ボタン５３０、５３２及び５３４も示している。ここで、上記適用押ボタン５３４は非動作状態に設定することができる。
【００６２】
好ましいレポートプロファイル・コンフィギュレーションマネージャ・インターフェースが図７Ｂに提示されている。更に詳細には、図７Ｂは、調査検討タイプ、レポートプロファイル、ＳＲＬ、レポートテンプレート、並びに診断レポート８００を構成するために使用される種々の他の区域及びラベル変数を選択するのに適したＧＵＩ７０５の概念図を示している。図７Ｂは、前記データ記憶装置１０５（図２）上のＳＲＬデータベース３２５（図３）の種々のレコード内に記憶された種々の情報に対する操作者のアクセスを案内及び制御するためにコンフィギュレーションマネージャ１７５により提供することができる例示的なＧＵＩ７０５を概略図示している。
【００６３】
図示されているように、該ＧＵＩ７０５は、“レポートプロファイル”インターフェースページを選択すると操作者に提示され得るような例示的なインターフェースを示している。この点に関して述べると、ＧＵＩ７０５は、関連するプルダウンメニュ選択矢印押ボタン７４５を伴う調査検討選択入力フィールド７４４、及びクリア押ボタン７４６を含むことができる。該ＧＵＩ７０５の上部を横切って右に移動すると、レポートプロファイル選択データ入力フィールド７５６を、関連するプルダウンメニュ選択矢印押ボタン７５７、“新”押ボタン７５８及び削除機能押ボタン７５９と共に設けることができる。通常のＧＵＩの動作に馴染んでいる者は、上記調整検討選択及びレポートプロファイル選択のインターフェース項目の動作を理解するであろう。
【００６４】
ＧＵＩ７０５の上部を横切って右方向に続けると、レポート区域選択表示７６８を、所望に応じてレポート８００内にラベル付けされた区域タイトルを挿入するように作用するラベル押ボタン７６６と共に設けることができる。区域選択表示７６８に提示された例示的なラベルに加えて、ＧＵＩ７０５は要約ラベル押ボタン７７０も含むことができる。ＧＵＩ７０５の左縁に戻ると、ＳＲＬデータ入力フィールド７４８を設けることができる。該ＳＲＬデータ入力フィールドから下に移動すると、該ＧＵＩ７０５は、ＨＴＭＬテンプレートデータ入力フィールド７５０、記述表示７５２及びマクロ表示７５４を提示することができる。上記ＳＲＬデータ入力フィールド７４８及びＨＴＭＬテンプレートデータ入力フィールド７５０の一方又は両方に関連させて、プルダウンメニュ選択押ボタンを追加し得ることが分かるであろう。好ましいコンフィギュレーションマネージャ１７５によれば、上記区域選択ラベル及び要約ラベルの各々は、操作されると、関連するレポートプロファイル１７４（図２）に規定されたフォント及び他のフォーマット情報に基づいて関連するラベルを挿入する。
【００６５】
更に図示されたように、ＧＵＩ７０５は、ＳＲＬデータベース３２５（図３）内に予め記憶された種々の診断的発見のグループ又は組のタイトルを提示するように作用する発見グループ表示７６０を示すことができる。好ましいコンフィギュレーションマネージャ１７５によれば、言語データ入力フィールド７４８に表示された現在選択されているＳＲＬと一致する診断的発見の組のみが、レポートプロファイル１７４（図２）と統合するために利用可能とされるであろう。
【００６６】
ＧＵＩ７０５に更に示されているように、前記発見グループ表示インターフェース７６０には、上向き矢印押ボタン７６１、下向き矢印押ボタン７６４及び上下スクロールスライドボタン７６２を設けることができる。更に、コンフィギュレーションマネージャ１７５は、一連のグループボックスデータ入力フィールド７７２、７７４、７７６及び７７８を設けるように構成することができる。グループボックスデータ入力フィールド７７２、７７４、７７６及び７７８の各々は、対応する発見グループを入力するように作用する。例えば、グループボックス７７４は、ＳＲＬデータベース３２５（図３）内の腹位置（Ａｂｄｏｍｉｎａｌ Ｓｉｔｕｓ）の診断的発見グループに関連付けられる。好ましいコンフィギュレーションマネージャ１７５によれば、レポート医師が開始グループボックス７７４に関連する入力を入力すると、発見グループ表示インターフェース７６０は、腹位置の診断的発見グループに割り当てられた全ての発見コードのリストを提示するように更新される。次いで、該レポート医師は上記腹位置のグループから自身が診断レポート８００に含めたいと欲する診断的発見を選択することができる。図７Ｂに示すＧＵＩ７０５は、更に、前述したＯＫ、キャンセル及び適用機能押ボタン７３０、７３２及び７３４を示している。ここでは、全ての３つの機能押ボタン７３０、７３２及び７３４を動作状態に設定することができる。
【００６７】
コンフィギュレーションマネージャ１７５は、現在活性状態の診断的発見の組の二次レポート言語での正しい句読を伴う有効なステートメントを入力するために、操作者（例えば、多言語レポート医師）の言語的熟練度に依存する。例えば、操作者が、フランス語でレポートされるべき心臓の調査検討に関連する診断的発見を編集している場合、コンフィギュレーションマネージャ１７５は適切なステートメントをフランス語で入力するのに該操作者に依存する。
【００６８】
デフォルトの診断的発見の組は、ＳＲＬデータベース３２５内に前もって供給し、各調査検討分野に熟練した多言語医師により承認されるようにしてもよいことが分かる。好ましくは、医療サイトにわたって診断レポートの一貫性を生じさせるために、特定の調査検討タイプに関連する診断的発見の各組が使用されるべきであるが、当該コンフィギュレーションマネージャ１７５は各レポート医師に個人化された発見コードの組を追加するのを可能にするような柔軟性を提供する。発見コードに関連されたテキストは、レポートに使用された後は変更することができないことに注意することが重要である。レポート医師は、発見コードがレポートに使用される前には、該発見コードの識別子を修正することができる。レポート医師は、初期のデフォルトの組を増大させるためにコードを追加することができる。更に、レポート医師は自身の個人レポートプロファイルから発見コードを削除することもできる。
【００６９】
この方法（即ち、コンフィギュレーションマネージャ１７５をユーザインターフェース１１０から分離すること）の結果として、医療レポート発生部１００は、現在のレポート医師により医療レポート発生部ＧＵＩ（又は複数のＧＵＩ）において選択されたＳＲＬを用いて発生された診断的発見のみを提示する。好ましい実施例においては、医療レポート発生部１００は、各レコード医師が利用可能な二次レポート言語の完全なリストから選択するのを可能にする。更に、医療レポート発生部１００は、各レポート医師が、ＰＡＬで書かれたレポートテキストを伴うデフォルトな診断的発見にアクセスするのを可能にするように構成することができる。
【００７０】
［医療レポート発生部インターフェース］
ここで図８Ａを参照すると、該図は図２の医療レポート発生部１００により発生することができる例示的なレポート８００を表示するのに適したＧＵＩ８０５の左端部を図示している。これに関して述べると、活性状態の診断レポートポップアップ８０７は、診断レポート８００の「見たとおりのものが得られる」（ウイズウイグ：ＷＹＳＩＷＹＧ）表示を反映したリアルタイム表示を含むことができるような表示ウインドウを含むことができる。図８Ａに示されるように、表示ウインドウ８０７は、サイトを識別する情報、レポート又は調査検討のタイプ、患者、レポートの要約、及び詳細な発見を含むことができる。また、表示ウインドウ８０７（及び下にあるレポート８００）が、レポート医師及び当該レポート８００（図示略）を受信する１以上の指定当事者を識別する情報も含み得ることが分かる。
【００７１】
好ましい医療レポート発生部１００は、レポート医師が注記又は他の情報をレポート８００に追加するのを可能にするためにテキストエディタを提供する。これに関して述べると、当該医療レポート発生部１００は、馴染みのワープロプログラムにおいて普通のワープロ機能を提供する。例えば、ＧＵＩ８０５は、該ＧＵＩ８０５のヘッダにおけるプルダウンメニュ及び機能押ボタンアイコンに関連して設けられ得るような、テキスト選択、切り取り、貼り付け、リアルタイムスペルチェック及び他の機能を可能にする。
【００７２】
図８Ｂは、図２の医療レポート発生部１００により発生される例示的なレポート８００を作成するのに適したＧＵＩ８０５の右端部を示している。これに関して述べると、ＧＵＩ８０５は、レポート源アイコンによりラベル付けされた押ボタン８３０と、レポートモードアイコンによりラベルが付された機能押ボタン８３２を設けるように構成されている。好ましい医療レポート発生部１００によれば、機能押ボタン８３０及び８３２は、表示モードを選択するように構成される。左側のアイコンでラベルされた機能押ボタン８３０は、当該ディスプレイを画像収集及び記憶システム１５０（図１）からの画像を表示するように設定するように構成されている。
【００７３】
画像は、超音波及び放射線画像化プラットフォームのホストを含む種々の画像収集及び記憶システム１５０により供給することができると理解すべきである。右側のラベル付けされた機能押ボタン８３２は、当該ディスプレイ３３を医療レポート発生部１００に戻すように構成されている。
【００７４】
図８Ｂに更に示されているように、ＧＵＩ８０７は、操作者がレポート８００を発生するのを補助するために複数ページインターフェースを提示するように構成することができる。図８Ｂに示すように、ＧＵＩ８０７は、“解釈（Ｉｎｔｅｒｐｒｅｔ）”インターフェースページを選択した際に操作者に対して提示することができるような例示的インターフェースを示している。これに関して述べると、ＧＵＩ８０７は、現在の患者の調査検討タイプに適した複数のラベルを含む発見コードグループ又は組ラベル表示８３８を含むことができる。例えば、発見コード組ラベル表示８３８は、“ＬＶ”、“ＲＶ”、“Ａｔｒｉａ”、“ＭＶ”、“ＴＶ”、“ＡＶ”、“ＰＶ”及び“Ｇｒｅａｔ Ｖｅｓｓｅｌｓ”とラベルが付された一連の押ボタンを含んでいる。心臓の超音波調査検討に熟練した者であれば、人の心臓の解剖の種々の部分に関する上記種々のラベルは理解するであろう。図８Ｂに示されるように、ＧＵＩ８０７には、発見コードデータ入力フィールド８４４を設けることができる。該発見コードデータ入力フィールド８４４を、操作者がレポート８００に含めるために特定の診断的発見を選択するのを可能にするように構成することができることが分かる。
【００７５】
発見コードグループ又は組ラベル表示８３８の押ボタンの１つを操作すると、レポート８００に現れるように選択された発見コードが図示のように当該インターフェースに列挙される。例えば、ＧＵＩ８０７は、表示ボックス８４６、８４８及び８５０等に現れるラベルを表示する。また、ＧＵＩ８０７は、表示ボックス８４６、８４８及び８５０、及び／又は図示せぬ他のものにおいて右クリックすると現れるような値のリストも設定する。好ましくは、表示ボックス８４６、８４８及び８５０は、最初は空で現れるようにする。これらボックスは、ユーザが当該ボックスを右クリックし、ポップアップメニュから値を選択した場合か、又はユーザが発見コードボックス８４４に直接発見コードを入力した場合に占有される。
【００７６】
例えば、ＧＵＩ８０７の操作者が発見コード組ラベル表示８３８におけるＬＶボタンを操作したとすると、表示ボックス８４６、８４８及び８５０は、このプロファイルがＬＶ即ち左心室に関連するというような発見グループ名でラベルが付されることになる。ＧＵＩ８０７の操作者が、カーソルを表示ボックス８４６、８４８及び８５０上に位置させてポップアップメニュを起動する（例えば、右のマウスボタンを押す）ことを示す入力を入力すると、当該操作者には適切な左心室グループの利用可能な発見コード選択のリストが提示される。
【００７７】
同様に、ＧＵＩ８０７の操作者が発見コード組ラベル表示８３８におけるＲＶボタンを操作したとすると、表示ボックス８４６、８４８及び８５０は、このプロファイルがＬＶ即ち左心室に関連するという発見グループ名でラベルが付されることになる。ＧＵＩ８０７の操作者が、カーソルを表示ボックス８４６、８４８及び８５０上に位置させてポップアップメニュを起動する（例えば、右のマウスボタンを押す）ことを示す入力を入力すると、当該操作者には適切な右心室グループの利用可能な発見コード選択のリストが提示される。
【００７８】
発見コード組ラベル表示８３８における発見グループを横切ると共に複数のＬＶ発見グループの診断的発見コードを選択した後、ＧＵＩ８０７は第１の診断的発見表示ウインドウ８４６に診断的発見“ＬＶ−００６２”を提示することができる。図８Ｂに示されるように、表示ウインドウ８４６は当該発見の主題に関する短い注記でラベル付けすることができる。ここでは、表示ウインドウ８４６は、“ＬＶサイズ／形状”、即ち左心室サイズ及び形状とラベル付けされる。表示ウインドウ８４６は、当該診断的発見に関する短いタイトルも含むことができる。レポート医師が、該医師が表示ウインドウ８４６に関連する内容を公開したいと欲すること示すコマンドを入力すると、ＬＶサイズ／形状に関連する発見コードに含まれる全ての発見コードが、更に図８Ｃに関連して説明されるであろうポップアップメニュに現れる。この場合、図８Ｂにおいては、表示ウインドウ８４６は、レポート医師が左心室は正常なサイズであると判断したことを示している。更に、図８Ｂに示されているように、左心室の他の診断パラメータに関する発見に各々対応するような第２及び第３診断的発見表示ラベル８４８及び８５０が、現れる。
【００７９】
好ましい医療レポート発生部１００によれば、発見コードグループラベル表示８３８の異なる発見コードグループ又は組の押ボタンが操作者により選択されると、種々の表示ボックスラベル８４６、８４８及び８５０は、選択されたラベルを反映する情報で更新する。例えば、操作者が“ＲＶ”を選択すると、種々の表示ウインドウ８４６、８４８及び８５０は、心臓の右心室に関連する診断的発見を用いて適切にラベル付けされるであろう。
【００８０】
図８Ｃは、ＧＵＩ８０７に関連する他の表示モードを強調している。操作者の選択操作（例えば、カーソルが発見コードグループラベル表示８３８における“ＬＶ”ラベル上に位置される際に右のマウス押ボタンを押す）に応答して、現在活性状態のレポート言語での利用可能な診断的発見の各々が、ポップアップ表示８６０に表示され得る。レポート医師は、該ポップアップ表示８６０に表示された所望の発見コードを強調し、該強調された発見コードを、適切な入力を選択することにより診断レポート８００に入力する。操作者が手動テキストデータ入力モードに入るのを可能にする“手動テキスト入力（Ｍａｎｕａｌ Ｔｅｘｔ Ｅｎｔｒｙ）”とラベル付けされた操作者により選択可能な項目８７０も、ポップアップ表示８６０に設けられている。好ましい実施例によれば、レポート医師がウインドウ８０５のヘッダにおけるレポートアイコン押ボタン８３２を選択すると、選択された発見コードは、左側の適切なレポートヘッディングの下、及びＧＵＩ８０７の右側の正しい表示ウインドウ８４６、８４８、８５０内の両方に現れる。レポート医師が画像アイコンを選択すると、ＧＵＩ８０７の左側は１以上の診断画像を提示する。ＧＵＩ８０７のレポート作成部分は、診断レポート８００に含めるためにどの発見コードが選択されたかを同時に示す。
【００８１】
次に図８Ｄを参照すると、該図は図８Ｃの表示ウインドウ８７０を介して入力された手動テキスト入力モードを示している。これに関して述べると、手動テキストデータ入力モードは、“手動発見テキスト入力（Ｍａｎｕａｌ Ｆｉｎｄｉｎｇ Ｔｅｘｔ Ｅｎｔｒｙ）”とラベル付けされたインターフェースウインドウ８９０を発生することができる。好ましい医療レポート発生部１００によれば、インターフェースウインドウ８９０は、他のスクロール可能な表示に関連して本明細書で述べたような関連するスクロール機能を備える表示インターフェース８９２を提示する。更に、インターフェースウインドウ８９０は“コメントに複写（Ｃｏｐｙ ｔｏ Ｃｏｍｍｅｎｔｓ）”とラベル付けされた操作者が選択可能なチェックボックス８９３を含み、該チェックボックスは該表示インターフェース８９２に入力されたテキストをレポート８００のコメント部分に直接向けるように作用する。先のＧＵＩに関連して前述したように、インターフェースウインドウ８９０には、ＯＫ、キャンセル及び適用機能押ボタン８９４、８９６及び８９８を各々設けることができる。この場合、全ての３つの機能押ボタン８９４、８９６及び８９８は動作状態に設定することができる。当該医療レポート発生部１００の操作者に複数の通常のワープロ機能を提供するために、機能的アイコンでラベル付けされた押ボタンの各々は、インターフェースウインドウ８９０の手動テキストエディタとインターフェースするように構成し得ることが分かる。
【００８２】
本発明の上述した実施例、特に如何なる“好ましい”実施例も、実施化の単なる可能な例であって、医療レポート発生部１００の原理の明瞭な理解のために単に記載されたに過ぎない。医療レポート発生部１００の上記実施例に対しては、該発生部の趣旨及び原理から実質的に逸脱すること無しに多くの変形例及び修正例を形成することができる。全ての斯様な修正例及び変形例は、本開示の範囲内に含まれると共に、添付請求項により保護されることを意図するものである。
【図面の簡単な説明】
【図１】図１は、当該改良された医療レポート発生部に適した例示的な収集後の診断環境の概念図である。
【図２】図２は、図１の改良された医療レポート発生部の機能ブロック図である。
【図３】図３は、図２のレポート言語データベース内のレコードに関連させることができる情報を示す図表である。
【図４】図４は、図２の改良された医療レポート発生部を構成するために使用することができるような、一連の関連する診断的発見をレポート言語で発生する方法を示すフローチャートである。
【図５】図５は、図２の改良された医療レポート発生部により使用することができるような、個人化されたレポート医師プロファイルを構成する方法を示すフローチャートである。
【図６】図６は、図２の改良された医療レポート発生部により実施化することができるような、診断レポートを医師により選択可能なレポート言語で発生する方法を示すフローチャートである。
【図７Ａ】図７Ａは、図２の医療レポート発生部に関連するデータベースに記憶することができるような、診断的発見及び診断的発見グループを編集するのに適した例示的なＧＵＩの概念図である。
【図７Ｂ】図７Ｂは、診断レポートを発生するために図２の医療レポート発生部により使用することができるような、ユーザレポートプロファイルを構成するのに適した例示的なＧＵＩの概念図である。
【図８Ａ】図８Ａは、図２の医療レポート発生部により発生することができるような、例示的なレポートを表示するのに適したＧＵＩの左部分を示す概念図である。
【図８Ｂ】図８Ｂは、図８Ａで示されたＧＵＩの右部分を示す概念図である。
【図８Ｃ】図８Ｃは、図８Ｂの概念図と重なる診断的発見コードテーブルを示す概念図である。
【図８Ｄ】図８Ｄは、図８Ｂの概念図と重なるポップアップウインドウを使用するような他のデータ入力モードを示す概念図である。
【図１】
2004530985.tif 000003
【図２】
2004530985.tif 000004
【図３】
2004530985.tif 000005
【図４】
2004530985.tif 000006
【図５】
2004530985.tif 000007
【図６】
2004530985.tif 000008
【国際公開パンフレット】
2004530985.tif 000009
2004530985.tif 000010
2004530985.tif 000011
2004530985.tif 000012
2004530985.tif 000013
2004530985.tif 000014
2004530985.tif 000015
2004530985.tif 000016
2004530985.tif 000017
2004530985.tif 000018
2004530985.tif 000019
2004530985.tif 000020
2004530985.tif 000021
2004530985.tif 000022
2004530985.tif 000023
2004530985.tif 000024
2004530985.tif 000025
2004530985.tif 000026
2004530985.tif 000027
2004530985.tif 000028
2004530985.tif 000029
2004530985.tif 000030
2004530985.tif 000031
2004530985.tif 000032
2004530985.tif 000033
2004530985.tif 000034
2004530985.tif 000035
2004530985.tif 000036
2004530985.tif 000037
2004530985.tif 000038
2004530985.tif 000039
2004530985.tif 000040
2004530985.tif 000041
2004530985.tif 000042
2004530985.tif 000043
2004530985.tif 000044
2004530985.tif 000045
2004530985.tif 000046
【国際公開パンフレット（コレクトバージョン）】
2004530985.tif 000047
2004530985.tif 000048
【国際調査報告】
2004530985.tif 000049
2004530985.tif 000050